(57)【要約】【課題】包装材内に重ねて収容された薬液含浸シートを１枚ずつ取り出すことが容易な薬液含浸シート包装体を実現できるようにする。【解決手段】薬液含浸シート包装体は、重ねられた、薬液を含浸させた複数枚の薬液含浸シート１０２と、薬液含浸シート１０２を収容する包装材１０１とを備えている。包装材１０１内において、重ねられて互いに接する薬液含浸シート１０２は、端部同士が重なり合わないように配置されている。【選択図】図２
2020065676.tif 000002
【特許請求の範囲】
【請求項１】
重ねられた、薬液を含浸させた複数枚の薬液含浸シートと、
前記薬液含浸シートを収容する包装材とを備え、
前記包装材内において、重ねられて互いに接する前記薬液含浸シートは、端部同士が重なり合わないように配置されている、薬液含浸シート包装体。
【請求項２】
前記包装材内において、重ねられて互いに接する前記薬液含浸シートは、１方向にのみ平行にずらして重ねられている、請求項１に記載の薬液含浸シート包装体。
【請求項３】
前記包装材は、一の辺に沿った方向に切断して開封可能であり、
重ねられて互いに接する前記薬液含浸シートは、ずれて配置されている辺が、前記包装材の一の辺と交差するように前記包装材内に収容されている、請求項２に記載の薬液含浸シート包装体。
【請求項４】
前記包装材は手指で切断可能な密閉平袋状である、請求項１〜３のいずれか１項に記載の薬液含浸シート包装体。
【発明の詳細な説明】
【技術分野】
【０００１】
本開示は、薬液含浸シート包装体に関する。
【背景技術】
【０００２】
医療現場においては頻繁に消毒の操作が行われる。消毒にはアルコール綿と呼ばれる脱脂綿等のシートに消毒用アルコールを含浸させたものが用いられる。アルコール綿は病院等において作成されていたが、近年では安全性や効率の観点から市販のアルコール綿の使用も進んでいる。
【０００３】
穿刺を行う場合、アルコール綿を２枚用いる場合がある。例えば、透析の際に動脈側の穿刺部位と静脈側の穿刺部位のそれぞれを消毒するために２枚のアルコール綿を用いたり、１枚で動脈側、もう１枚で静脈側穿刺部位並びにその周囲を消毒したりする。
【０００４】
このような２枚のアルコール綿を使用する用途のために、周縁が重なりあった状態の２枚のアルコール綿を１つの袋に収容したものがある。また、開封する際にアルコール綿を２つに分割できるようにすることも検討されている（例えば、特許文献１を参照。）。
【先行技術文献】
【特許文献】
【０００５】
【特許文献１】特開２００４−３５９３３１号公報
【発明の概要】
【発明が解決しようとする課題】
【０００６】
しかしながら、２枚のアルコール綿を重ねて１つの包装材に収容した場合、１枚ずつ取り出すことが困難であるという問題がある。重ねられたアルコール綿は包装材中において密着しているため、１枚ずつ取り出すことはピンセット等を用いたとしても集中力を要し、手間が掛かる、煩雑な作業の１つである。
【０００７】
２枚のアルコール綿を、重ねずに１つの包装材に収容したり、開封時に分割できるようにしたりした場合には、取り出しやすさは向上するが、袋が大きくなってしまうという問題がある。
【０００８】
このような問題はアルコール綿に限らず、アルコール以外の消毒液を含浸させた消毒用シートや、消毒液以外の薬液を含浸させた薬液含浸シートにおいても生じ得る。また、１つの袋に２枚のシートが収容されている場合だけでなく、３枚以上のシートが収容されている場合にも生じ得る。
【０００９】
本開示の課題は、包装材内に重ねて収容された薬液含浸シートを１枚ずつ取り出すことが容易な薬液含浸シート包装体を実現できるようにすることである。
【課題を解決するための手段】
【００１０】
本開示の薬液含浸シート包装体の一態様は、重ねられた、薬液を含浸させた複数枚の薬液含浸シートと、薬液含浸シートを収容する包装材とを備え、包装材内において、重ねられて互いに接する薬液含浸シートは、端部同士が重なり合わないように配置されている。薬液含浸シート包装体の一態様によれば、薬液含浸シートの端部同士が重なり合っていないため、薬液含浸シートを容易に１枚ずつ取り出すことができる。
【００１１】
薬液含浸シート包装体の一態様において、包装材内において、重ねられて互いに接する薬液含浸シートは、１方向にのみ平行にずらして重ねられているようにすることができる。このような構成とすることにより、包装体を大きくすることなく、取り出しやすさを向上することができる。
【００１２】
この場合において、包装材は、一の辺に沿った方向に切断して開封可能であり、重ねられて互いに接する薬液含浸シートは、ずれて配置されている辺が、包装材の一の辺と交差するように包装材内に収容されていてもよい。このような構成とすることにより、包装体の開口部において１枚の薬液含浸シートをつまむことが容易となる。
【００１３】
薬液含浸シート包装体の一態様において、包装材は手指で切断可能な密閉平袋状である。このような構成とすることにより、袋の上から重ねられた薬液含浸シートを指で押さえることができ、開口部から薬液含浸シートを１枚ずつ取り出すことが容易となる。
【発明の効果】
【００１４】
本開示の薬液含浸シート包装体によれば、薬液含浸シートを１枚ずつ取り出すことが容易にできる。
【図面の簡単な説明】
【００１５】
【図１】一実施形態に係る薬液含浸シート包装体を示す平面図である。
【図２】一実施形態に係る薬液含浸シート包装体を開封した状態示す斜視図である。
【図３】薬液含浸シートの包装材内における配置の変形例を示す斜視図である。
【図４】薬液含浸シートの包装材内における配置の変形例を示す斜視図である。
【図５】薬液含浸シートの包装材内における配置の変形例を示す斜視図である。
【図６】薬液含浸シートの包装材内における配置の変形例を示す斜視図である。
【図７】薬液含浸シートの包装材内における配置の変形例を示す斜視図である。
【図８】薬液含浸シート包装体の第１変形例を示す平面図である。
【図９】薬液含浸シート包装体の第２変形例を示す断面図である。
【発明を実施するための形態】
【００１６】
図１及び図２に示すように、本実施形態の薬液含浸シート包装体１００は、包装材１０１内に、２枚の薬液含浸シート１０２（１０２Ａ及び１０２Ｂ）が収容されている。薬液含浸シート１０２は、例えば消毒用アルコールを含浸させた不織布シートとすることができる。包装材１０１は、例えば、長方形の２枚のシートそれぞれの四辺どうしが固定された平袋状とすることができ、例えば紙製や樹脂製の密閉された袋とすることができる。
【００１７】
包装材１０１内において、２枚の薬液含浸シート１０２は、端部が重なり合わないようにずらして配置されている。２枚の薬液含浸シート１０２の端部が重なり合っていないため、２枚の薬液含浸シート１０２の一方のみをつまんで包装材１０１から取り出すことが容易となる。
【００１８】
図１及び図２において、薬液含浸シート１０２Ａと薬液含浸シート１０２Ｂとは、１方向にのみ平行にずらして重ねられている。このため、薬液含浸シート１０２Ａと薬液含浸シート１０２Ｂとは、それぞれの４つの辺のうちの、対向する２つの辺が互いに重なり合わず、平行にずれた位置となり、残りの２つの辺は重なりあっている。このように２つの辺がずれた位置となり、２つの辺が重なり合うように配置すれば、４つの辺の位置がずれている場合と比べて収容面積を抑えつつ、取り出しを容易にすることができる。また、複数枚のシートを平行にずらした状態で重ねあわせ、カットすることにより製造可能であり、製造工程の複雑化を防ぎ、効率良く生産することも可能となる。
【００１９】
薬液含浸シート１０２Ａと薬液含浸シート１０２Ｂとのずらし幅ｔは、指又はピンセットによりつまみ易くするという観点からは好ましくは１ｍｍ、製造のし易さの観点からは好ましくは２ｍｍ以上、より好ましくは２．５ｍｍ以上であり、収容面積を小さく抑える観点から好ましくは５ｍｍ以下、より好ましくは４ｍｍ以下である。
【００２０】
図２に示すように、包装材１０１は、一の辺１１１に沿って切断し、一の辺１１１を含む部分を一の辺１１１を含まない部分１１２から切り離す等して開封することができる。この場合、薬液含浸シート１０２Ａと薬液含浸シート１０２Ｂとの重なり合っておらず、ずれて配置されている辺が、包装材１０１の切り離す辺１１１と交差するように包装材１０１内に収容することができる。このようにすれば、包装材１０１を開封した際に、薬液含浸シート１０２Ａと薬液含浸シート１０２Ｂとのずれて配置されている辺が両側に位置する。
【００２１】
このため、図２の例においては、一方の側端において薬液含浸シート１０２Ａを包装材１０１の上からつまみ、他方の側端において薬液含浸シート１０２Ｂのみをつまむことにより、薬液含浸シート１０２Ｂのみを容易に取り出すことができる。
【００２２】
但し、包装材１０１内における薬液含浸シート１０２の向きは自由に選択することができる。例えば、薬液含浸シート１０２Ａと薬液含浸シート１０２Ｂとのずれて配置されている辺の一方のみが、開封した包装材１０１の開口部から露出するように収容することもできる。この場合にも、薬液含浸シート１０２Ａと薬液含浸シート１０２Ｂとが重なり合っていない部分が開口部に現れるため、一方の薬液含浸シート１０２のみを比較的容易に取り出すことができる。
【００２３】
薬液含浸シート１０２は、折り畳まれた状態で包装材１０１内に収容することもできる。例えば、図３に示すように、薬液含浸シート１０２Ａと薬液含浸シート１０２Ｂとをそれぞれ２つ折りにして重ねることができる。薬液含浸シート１０２を折り畳むことにより、薬液含浸シート１０２を大きくしても、包装材１０１を小さく保つことができる。
【００２４】
薬液含浸シート１０２を折り畳む場合、図３に示すように、折られている辺の位置を重なり合わないようにずらして重ねることが好ましい。但し、折られている辺の位置を揃え、折られている辺と交差する辺の方をずらして重ねることもできる。また、図４に示すように、薬液含浸シート１０２Ａで薬液含浸シート１０２Ｂを挟むように配置することもできる。さらに、図５に示すように、薬液含浸シート１０２Ａと薬液含浸シート１０２Ｂとが互いに相手を挟むように互い違いに配置することもできる。
【００２５】
図３及び図４においては、薬液含浸シート１０２が２つ折りになっている例を示したが、折り畳みの回数は薬液含浸シート１０２の大きさと、包装材１０１の大きさに応じて適宜設定することができる。なお、一方の薬液含浸シート１０２だけを折り畳んだり、折り畳みの回数が異なる薬液含浸シート１０２を重ねたりすることもできる。
【００２６】
本実施形態においては、２枚の薬液含浸シート１０２を１方向にだけ平行にずらして重ねている例を示した。しかし、図６に示すように、２枚の薬液含浸シートを２方向に平行にずらして重ねることもできる。この場合、薬液含浸シート１０２Ａと薬液含浸シート１０２Ｂとは、４つの辺の位置がずれて重ねられる。また、平行にずらすのではなく角度を付けてずらすこともできる。なお、折り畳まれた薬液含浸シート１０２を用いる場合にも、２方向に平行にずらしたり、角度を付けてずらしたりすることができる。特に、図５に示すような配置の場合には、２方向に平行にずらすことにより、取り出しがさらに容易となる。
【００２７】
図１〜図６には、同じ大きさの薬液含浸シート１０２をずらして重ねる例を示したが、大きさが異なる薬液含浸シート１０２を重ねることもできる。例えば、図７に示すように、薬液含浸シート１０２Ａと、一方向の辺の長さが薬液含浸シート１０２Ａよりも短い薬液含浸シート１０２Ｂとを重ねて配置することにより、辺がずれている部分を生じさせることができる。なお、２方向の辺の長さが異なる薬液含浸シート１０２を重ねることもできる。また、薬液含浸シート１０２を折り畳む場合にも、大きさを異ならせることができる。
【００２８】
本実施形態においては、好適な例として、２枚の薬液含浸シート１０２を１つの包装材１０１内に収容する例を示したが、同様にして３枚以上の薬液含浸シート１０２を１つの包装材１０１内に収容することもできる。３枚以上の薬液含浸シート１０２を１つの包装材１０１内に収容する場合、重ねられて互いに接している２枚の薬液含浸シート１０２について端部の位置がずれていればよく、接していない薬液含浸シート１０２同士は端部の位置が重なり合っていてもよい。
【００２９】
薬液含浸シート１０２の基材は、薬液を含浸させることができれば、どのようなものであってもよく、ガーゼ、脱脂綿及び不織布等とすることができる。中でも不織布が好ましい。薬液含浸シート１０２に含浸させる薬液は、特に限定されないが、エタノール又はイソプロパノール等のアルコール、アクリノール、塩化ベンザルコニウム、塩化ベンゼトニウム、過酸化水素、次亜塩素酸ナトリウム、ペルオキソ一硫酸水素カリウム、グルコン酸クロルヘキシジン、ポピドンヨード、及びヨードチンキ等を有効成分とする消毒剤とすることができる。中でも、エタノール等の消毒用アルコールが好ましい。また、消毒剤以外の薬液とすることもできる。
【００３０】
薬液含浸シート１０２の大きさは、特に限定されず、消毒用途において使いやすい大きさとすることができるが、２ｃｍ角〜６ｃｍ角程度の大きさとすることができる。なお、本実施形態において薬液含浸シート１０２が正方形状である例を示したが、長方形状とすることもできる。また、薬液含浸シート１０２を折り畳んで包装材１０１に収容する場合は、折り畳んだ際にこの程度の大きさになるようにすることができる。
【００３１】
包装材１０１は、薬液含浸シート１０２を収容することができればどのようなものであってもよいが、樹脂製の袋とすることができる。中でも、複数の樹脂材料が積層された樹脂ラミネートシートや、アルミニウム等からなる金属蒸着膜や金属薄膜等を含む複合ラミネートシート等により形成された袋は、薬液含浸シート１０２に含浸させた薬液が透過しにくく好ましい。
【００３２】
包装材１０１は、特に限定されないが、密閉平袋状とすることができ、例えば、２つ折りにしたシートの３辺をシールする三方シール形式の袋や、２枚のシートの４辺をシールする四方シール形式の袋とすれば、形成が容易であり好ましい。意匠性を考慮し、平面視非矩形状としてもよい。
【００３３】
密閉平袋状等の包装材１０１は手指で切断可能であることが好ましく、包装材１０１に易開封加工を施すことができる。例えば、図８に示す第１変形例のように、一の辺に沿って切断して開封しやすいように、一の辺と交差する辺の少なくとも一方をギザギザに加工することができる。易開封加工は、ギザギザに加工するだけでなく、ノッチ等を設けたり、表面に引き裂き用の弱化部等を設けたり、樹脂の配向を揃えたりする等の加工もできる。また、他の辺にも易開封加工を行うことができる。易開封加工を行う場合、包装材１０１が切断されることにより形成される開口部から、薬液含浸シート１０２の重なり合わない部分が露出するように易開封加工を行うことが好ましい。このようにすれば、開口部において１枚の薬液含浸シート１０２のみを容易につまむことができる。なお、本実施形態において薬液含浸シートを周縁の一部が重なり合わないようにできればよく、薬液含浸シート１０２の重なり合わない部分が開口部側に位置することが好ましい。形成但し、薬液含浸シート１０２の重なり合わない部分は露出しなくてもよい。
【００３４】
包装材１０１には切断の方向を示す表示部１１３を設けることもできる。図１及び図２において、表示部１１３が矢印の印刷である例を示しているが、切断の方向を示すことができれば、どのような表示であってもよく、例えばＯＰＥＮ等の文字を表示することもできる。表示部１１３は、切断の方向だけでなく、切断の位置も示すようにすることができる。但し、表示部１１３は設けなくてもよい。なお、図２には包装材１０１の開口部から薬液含浸シート１０２Ｂが開封された包装材１０１の外側に突出する位置で包装材１０１が切断されている例を示した。しかし、薬液含浸シート１０２Ｂが開封された包装材１０１内に収容される位置で包装材１０１が切断されるようにすることができる。このようにすれば、包装材１０１を切断する際に、薬液含浸シート１０２Ｂを誤って破るようなことを発生しにくくすることができる。
【００３５】
包装材１０１は、第２変形例として、図９に示すような収容用の凹部が設けられたトレー１０１Ａとシールフィルム１０１Ｂとからなるブリスターパックとすることもできる。
【産業上の利用可能性】
【００３６】
本開示の薬液含浸シート包装体は、包装材内に重ねて収容された薬液含浸シートを１枚ずつ取り出すことが容易であり、消毒用のシート等として有用である。
【符号の説明】
【００３７】
１００      薬液含浸シート包装体
１０１      包装材
１０１Ａ    トレー
１０１Ｂ    シールフィルム
１０２      薬液含浸シート
１０２Ａ    薬液含浸シート
１０２Ｂ    薬液含浸シート
１１１      包装材の一の辺
１１２      一の辺を含まない部分
１１３      表示部
【図１】
2020065676.tif 000003
【図２】
2020065676.tif 000004
【図３】
2020065676.tif 000005
【図４】
2020065676.tif 000006
【図５】
2020065676.tif 000007
【図６】
2020065676.tif 000008
【図７】
2020065676.tif 000009
【図８】
2020065676.tif 000010
【図９】
2020065676.tif 000011